(57)【要約】  本レンズ鏡筒は、複数のレンズを含む撮像光学系と、円筒状のフォーカシング操作部と、固定枠と、規制部と、を備える。フォーカシング操作部は、撮像光学系の光軸を中心とする回転操作によって、撮像光学系の焦点位置を変化させて通常撮影領域の至近距離位置を超えてマクロ撮影領域まで距離を設定可能とするとともに、撮像光学系のレンズを移動させることで、通常撮影状態とマクロ撮影状態とを切り替える。規制部は、通常撮影状態とマクロ撮影状態とにおけるフォーカシング操作部の回転可能範囲を規制する。フォーカシング操作部の回転操作に連動して、フォーカシング操作部の回転可能範囲が、通常撮影状態に対応する第１の回転可能範囲から、マクロ撮影状態に対応し第１の回転可能範囲とは周方向における位置がずれている第２の回転可能範囲に切り替えられる。
2015045230.tif 000002
【特許請求の範囲】
【請求項１】
複数のレンズを含む撮像光学系と、
前記撮像光学系の光軸を中心とする回転操作によって、前記撮像光学系の焦点位置を変化させて通常撮影領域の至近距離位置を超えてマクロ撮影領域まで距離を設定可能とするとともに、前記撮像光学系の少なくとも一部のレンズを移動させることで、通常撮影状態とマクロ撮影状態とを切り替える円筒状のフォーカシング操作部と、
前記フォーカシング操作部を回転可能な状態で支持する固定枠と、
前記通常撮影状態と前記マクロ撮影状態とにおける前記フォーカシング操作部の回転可能範囲を規制する規制部と、
を備え、
通常撮影状態からマクロ撮影状態へと移行させる前記フォーカシング操作部の回転操作に連動して、前記規制部によって規制される前記フォーカシング操作部の回転可能範囲が、前記通常撮影状態に対応する第１の回転可能範囲から、前記マクロ撮影状態に対応し前記第１の回転可能範囲とは周方向における位置がずれている第２の回転可能範囲に切り替えられる、
レンズ鏡筒。
【請求項２】
前記規制部は、前記第１の回転可能範囲を規定する第１規制部と、前記第２の回転可能範囲を規定する第２規制部と、前記第１規制部と前記第２規制部とが互いに近接する端部同士を接続し前記通常撮影状態と前記マクロ撮影状態とを切り替える切替部と、を有している、
請求項１に記載のレンズ鏡筒。
【請求項３】
前記第１・第２規制部は、前記フォーカシング操作部の周方向に沿って形成されており、
前記切替部は、前記フォーカシング操作部の周方向に対して斜めに形成されている、
請求項２に記載のレンズ鏡筒。
【請求項４】
前記撮像光学系に含まれる少なくとも一部のレンズを保持しており、前記撮像光学系の光軸方向に沿って前記固定枠に対して前後に移動可能であって、外周面からラジアル方向外側に向かって突出した凸部を有する直進枠を、さらに備え、
前記フォーカシング操作部を回転操作すると、前記直進枠の前記凸部が前記規制部に嵌合した状態で周方向に沿って移動する、
請求項１から３のいずれか１項に記載のレンズ鏡筒。
【請求項５】
前記規制部は、前記フォーカシング操作部の一部に形成された溝あるいは孔である、
請求項１から４のいずれかに記載のレンズ鏡筒。
【請求項６】
請求項１から５のいずれか１項に記載のレンズ鏡筒と、
前記レンズ鏡筒が装着されるカメラ本体と、
を備える撮像装置。
【発明の詳細な説明】
【技術分野】
【０００１】
本開示は、レンズ鏡筒に関する。
【背景技術】
【０００２】
特許文献１は、ズームリングに設けられるロック部材でフォーカスリングの移動許容範囲を調整するレンズ鏡筒を開示する。
【先行技術文献】
【特許文献】
【０００３】
【特許文献１】特開昭５７−６６４２５号公報
【発明の概要】
【０００４】
本開示は、ノーマル撮影とマクロ撮影の切り替えが可能なレンズ鏡筒であって、フォーカスリングのメモリ表示を可能にし、フォーカスリングの移動許容範囲をメカ端により調整可能なレンズ鏡筒を提供する。
本開示に係るレンズ鏡筒は、複数のレンズを含む撮像光学系と、円筒状のフォーカシング操作部と、固定枠と、規制部と、を備えている。円筒状のフォーカシング操作部は、撮像光学系の光軸を中心とする回転操作によって、撮像光学系の焦点位置を変化させて通常撮影領域の至近距離位置を超えてマクロ撮影領域まで距離を設定可能とするとともに、撮像光学系の少なくとも一部のレンズを移動させることで、通常撮影状態とマクロ撮影状態とを切り替える。固定枠は、フォーカシング操作部を回転可能な状態で支持する。規制部は、通常撮影状態とマクロ撮影状態とにおけるフォーカシング操作部の回転可能範囲を規制する。そして、通常撮影状態からマクロ撮影状態へと移行させるフォーカシング操作部の回転操作に連動して、規制部によって規制されるフォーカシング操作部の回転可能範囲が、通常撮影状態に対応する第１の回転可能範囲から、マクロ撮影状態に対応し第１の回転可能範囲とは周方向における位置がずれている第２の回転可能範囲に切り替えられる。
【０００５】
（発明の効果）
本開示におけるレンズ鏡筒は、ノーマル撮影とマクロ撮影の切り替えが可能であり、かつ、フォーカスリングのメモリ表示を可能にし、フォーカスリングの移動許容範囲をメカ端により調整可能である。
【図面の簡単な説明】
【０００６】
【図１】本開示の撮像装置の全体斜視図。
【図２】実施の形態１におけるノーマル撮影時のレンズ鏡筒の概略断面図。
【図３】実施の形態１におけるマクロ撮影時のレンズ鏡筒の概略断面図。
【図４】（ａ）は、実施の形態１のノーマル撮影時における遠距離に被写体がある時のフォーカス指標を示す図。（ｂ）は、実施の形態１のノーマル撮影時におけるＡＦ選択時のフォーカス指標を示す図。（ｃ）は、実施の形態１のマクロ撮影時におけるＡＦ選択時のフォーカス指標を示す図。（ｄ）は、実施の形態１のマクロ撮影時における近距離に被写体がある時のフォーカス指標を示す図。
【図５】（ａ）は、実施の形態１における直進枠の概略展開図。（ｂ）は、実施の形態１における、直進枠のメリディオナル面での断面図の一部を示す図。
【図６】実施の形態１におけるフォーカスリングの展開図。
【図７】（ａ）は、実施の形態２のノーマル撮影時における遠距離に被写体がある時のフォーカス指標を示す図。（ｂ）は、実施の形態２のノーマル撮影時における近距離に被写体がある時のフォーカス指標を示す図。（ｃ）は、実施の形態２のマクロ撮影時における遠距離に被写体がある時のフォーカス指標を示す図。（ｄ）は、実施の形態２のマクロ撮影時における近距離に被写体がある時のフォーカス指標を示す図。
【図８】（ａ）は、実施の形態２のノーマル撮影時におけるフォーカス指標を示す図。（ｂ）は、実施の形態２のマクロ撮影時におけるフォーカス指標を示す図。
【図９】（ａ）は、実施の形態２におけるノーマル撮影時のレンズ鏡筒の概略断面図。（ｂ）は、実施の形態２におけるマクロ撮影時のレンズ鏡筒の概略断面図。
【図１０】（ａ）は、実施の形態２における固定枠の展開図。（ｂ）は、実施の形態２におけるフォーカスリングの展開図。
【発明を実施するための形態】
【０００７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【０００８】
（実施の形態１）
以下、図１〜図６を用いて、実施の形態１を説明する。
［１−１．デジタルカメラの全体構成（図１〜図３参照）］
図１は、本実施形態の撮像装置１００を示す概略斜視図である。図２は、レンズ鏡筒１２０のノーマルモード（通常撮影状態）時を示す断面図である。図３は、レンズ鏡筒１２０のマクロモード（マクロ撮影状態）時を示す断面図である。
【０００９】
撮像装置１００は、カメラ本体１０１と、カメラ本体１０１に装着されるレンズ鏡筒１２０と、を有する。なお、レンズ鏡筒１２０は、撮像装置１００に一体で設けられてもよいし、着脱可能に設けられてもよい。
また、本実施の形態のレンズ鏡筒１２０は、フォーカスリング（フォーカシング操作部）１２２の回転操作によって、通常撮影モードとマクロ撮影モードとを切り替えるとともに、フォーカス操作も実施可能である。
【００１０】
レンズ鏡筒１２０は、第１レンズ群Ｌ１と、フォーカスレンズ群Ｌ２と、第３レンズ群Ｌ３と、第４レンズ群Ｌ４と、絞りリング１２１と、フォーカスリング１２２と、固定枠１３０と、直進枠１４０と、ベース枠１５０と、３群保持枠１６０と、フォーカスレンズ枠１７０と、ガイド軸１７１と、化粧リング１８０と、を備えている。
レンズ鏡筒１２０は、ベース枠１５０に対して各部材が取り付けられて構成されている。
【００１１】
ベース枠１５０は、カメラ本体１０１との装着側の端部において、第４レンズ群Ｌ４を保持する。ベース枠１５０は、被写体側の端部に、固定枠１３０がビス留めされる。
ここで、円筒状の固定枠１３０の内周側に設けられる各部材の説明を行う。
固定枠１３０の内周側には、直進枠１４０が光軸Ｘ方向に移動可能な状態で取り付けられる。
【００１２】
直進枠１４０は、円筒状の部材であって、外周面上にラジアル方向外側に向かって突出する位置決めピン（凸部）１４１を有している。
位置決めピン１４１は、フォーカスリング１２２に形成されたピン移動孔１２２Ｍに係合されている。
これにより、フォーカスリング１２２の回転操作によって、直進枠１４０が光軸Ｘ方向において前後に移動する。これらの機構の詳細な説明は後述する。
【００１３】
直進枠１４０は、図１、図２に示すように、被写体側の端部に第１レンズ群Ｌ１を保持している。また、直進枠１４０の内周面側には、３群保持枠１６０が固定されている。
３群保持枠１６０は、第３レンズ群Ｌ３を保持している。
直進枠１４０の内周面側には、光軸Ｘに平行に配置されたガイド軸１７１が設けられている。直進枠１４０の内周面側に設けられたガイド軸１７１には、フォーカスレンズ枠１７０が光軸Ｘ方向において移動可能な状態で取り付けられている。
【００１４】
フォーカスレンズ枠１７０は、フォーカスレンズ群Ｌ２を保持している。フォーカスレンズ枠１７０は、直進枠１４０に光軸Ｘと平行に保持されたガイド軸１７１と嵌合し、動力源（図示せず）によって光軸Ｘ方向において駆動される。
次に、固定枠１３０の外周側に設けられる各部材について説明する。
固定枠１３０の外周側には、それぞれ円環状の部材であって光軸Ｘを中心に回転操作される、絞りリング１２１と、フォーカスリング１２２と、化粧リング１８０と、が設けられている。
【００１５】
絞りリング１２１およびフォーカスリング１２２は、ユーザによって回転操作されることで、固定枠１３０に対して、光軸Ｘを中心とする円周方向において回転する。
なお、絞りリング１２１およびフォーカスリング１２２は、各々回転可能範囲が制限されている。これらの部材の回転可能範囲については、後述する。
以上のように構成された撮像装置１００について、その動作について以下で説明する。
【００１６】
撮像装置１００は、ノーマルモードとマクロモードとの切り替え時において、撮影可能な被写体距離範囲を変化させるように構成されている（例：マクロモードは０．１５ｍ〜０．３５ｍ、ノーマルモードは０．３ｍ〜∞）。
そのため撮像装置１００は、ノーマルモードとマクロモードの切り替えに応じて、フォーカスリング１２２の可動範囲（回転可能範囲）を調整する。このため、フォーカスリング１２２の可動範囲が変更されるので、撮影可能な被写体距離に合うレンズ鏡筒１２０に記された被写体距離目盛の範囲で、フォーカスリング１２２が移動可能となる。
【００１７】
以下、その機構の詳細について説明する。
［１−２．詳細構成］
以下、図４（ａ）〜図６を用いて、本実施の形態に係るレンズ鏡筒１２０の詳細な構成について説明する。
なお、本実施の形態のレンズ鏡筒１２０では、光軸Ｘを中心とする円環状のフォーカスリング（フォーカシング操作部）１２２の回転方向への操作によってモード切り替えを行う。
【００１８】
図５（ａ）は、直進枠１４０の展開図を外周側から見た図である。図５（ｂ）は、図５（ａ）のＸ−Ｘ断面であって、直進枠１４０のメリディオナル面（Meridional Surface）で切断した断面図の一部である。なお、メリディオナル面とは、レンズの軸外物点と光軸とを含む面を意味している。
図６は、直進枠１４０の外周側に配置されたフォーカスリング１２２の展開図を外周側から見た図である。なお、フォーカスリング１２２の内周面側に配置された構成については、破線で示している。
【００１９】
直進枠１４０は、図５（ａ）、図５（ｂ）に示すように、直進枠１４０の外周面からラジアル方向外側に向かって突出するように形成された位置決めピン１４１を有している。
位置決めピン１４１は、図４（ａ）〜図４（ｄ）および図６に示すように、フォーカスリング１２２に形成された貫通穴（ピン移動孔１２２Ｍ）に係合した状態で移動する。このとき、位置決めピン１４１の位置によって、フォーカスリング１２２の外周面に印刷された被写体距離を指し示す。
【００２０】
ピン移動孔（規制部）１２２Ｍは、位置決めピン１４１が挿入されて移動するとともに、図６に示すように、Ｎ（ノーマル）回転孔１２２ｘと、切替カム孔１２２ｙと、マクロ回転孔１２２ｚと、を有している。
なお、本実施の形態では、ピン移動孔１２２Ｍは、フォーカスリング１２２の内周側から外周側へ貫通する孔として形成されているが、フォーカスリング１２２の内周側に形成された溝であってもよい。
【００２１】
Ｎ回転孔（第１規制部）１２２ｘは、図６に示すように、光軸Ｘを中心とする円周方向に沿って所定の範囲に形成されており、ノーマルモードにおける被写体距離の範囲（第１の回転可能範囲）を規定する。
マクロ回転孔（第２規制部）１２２ｚは、図６に示すように、光軸Ｘを中心とする円周方向において、Ｎ回転孔１２２ｘとは異なる所定の範囲に形成されている。
【００２２】
具体的には、マクロ回転孔１２２ｚは、光軸Ｘ方向において、Ｎ回転孔１２２ｘよりも被写体側に形成されている。そして、マクロ回転孔１２２ｚは、マクロモードにおける被写体距離の範囲（第２の回転可能範囲）を規定する。
切替カム孔（切替部）１２２ｙは、図６に示すように、フォーカスリング１２２の外周面において円周方向に対して斜めに形成されており、Ｎ回転孔１２２ｘの近端側の端部と、マクロ回転孔１２２ｚの遠端側の端部とを接続する。
【００２３】
すなわち、ピン移動孔１２２Ｍは、図６に示すように、主に、３つの領域によって構成される。
３つの領域とは、ノーマルモード時に位置決めピン１４１が移動するＮ回転孔１２２ｘ、マクロモード時に位置決めピン１４１が移動するマクロ回転孔１２２ｚ、Ｎ回転孔１２２ｘとマクロ回転孔１２２ｚとの間を連結する切替カム孔１２２ｙ、である。
【００２４】
切替カム孔１２２ｙの最遠側（図面中右側）の端部は、Ｎ回転孔１２２ｘの近接側のＮ（ノーマル）近端１２２ｂと接続されている。また、切替カム孔１２２ｙの近接側（図面中左側）の端部は、マクロ回転孔１２２ｚの最遠側のマクロ遠端１２２ｃと接続されている。
なお、切替カム孔１２２ｙの両端には、クリック感（節度感）を出すために、段差（図示せず）を設けてもよい。この場合には、位置決めピン１４１を所定の方向に付勢するバネ等の付勢手段（図示せず）を設け、段差の位置において付勢手段がピンを付勢して、クリック感を出すようにすればよい。
【００２５】
ここで、直進枠１４０の位置決めピン１４１は、Ｎ回転孔１２２ｘと切替カム孔１２２ｙとマクロ回転孔１２２ｚとに挿入された状態で移動する。
また、フォーカスリング１２２の外周面には、フォーカス状態を示す指標「０．１５  ０．２５  ０．３５・ＡＦ−Ｍａｃｒｏ・ＡＦ・０．３  ０．５  １  ２  ５  ∞」が印刷されている。
【００２６】
［１−３．ノーマルモードとマクロモードの切り替え動作］
次に、図４（ａ）から図４（ｄ）を用いて、ノーマルモードとマクロモードの切り替え動作について説明する。
図４（ａ）、図４（ｂ）は、ノーマルモードにおけるフォーカスリング１２２のフォーカス状態を示す図である。図４（ｃ）および図４（ｄ）は、マクロモードにおけるフォーカスリング１２２のフォーカス状態を示す図である。
【００２７】
本実施の形態のレンズ鏡筒では、ユーザは、フォーカスリング１２２を回転操作することで、ノーマルモードとマクロモードとの切り替えを行う。
具体的には、ノーマルモードからマクロモードへの切り替えは、直進枠１４０に設けられた位置決めピン１４１が、フォーカスリング１２２の切替カム孔１２２ｙに係合している状態で、フォーカスリング１２２を回転操作することで行われる。
【００２８】
このとき、切替カム孔１２２ｙが、円周方向に対して斜めに形成されていることから、フォーカスリング１２２を回転させる操作によって、位置決めピン１４１が光軸Ｘ方向において前後に移動する。
つまり、位置決めピン１４１が切替カム孔１２２ｙ内（Ｎ近端１２２ｂとマクロ遠端１２２ｃとの間）を移動することにより、位置決めピン１４１と一体的に構成されている直進枠１４０が光軸Ｘ方向に移動する（図４（ｂ）、図４（ｃ）参照）。
【００２９】
ここで、直進枠１４０が光軸Ｘ方向において前（被写体側）方向に移動すると、図３に示すマクロモードへ移行する。マクロモードでは、図２に示すノーマルモードと比較して、第１レンズ群Ｌ１、フォーカスレンズ群Ｌ２、および第３レンズ群Ｌ３が前方へ移動し、第４レンズ群Ｌ４に対する距離が大きくなる。
これにより、光軸Ｘ方向において、フォーカスリング１２２に対して直進枠１４０を前後に移動させることで、図２に示すノーマルモードから図３に示すマクロモードへと切り替えることができる。
【００３０】
［１−４．フォーカスリングの可動範囲（回転可能範囲）の調整］
ノーマルモード時のフォーカスリング１２２の可動範囲は、図４（ａ）および図４（ｂ）に示すように、Ｎ回転孔１２２ｘのＮ（ノーマル）遠端１２２ａからＮ近端１２２ｂの最遠側に端部までの範囲である。換言すれば、直進枠１４０の位置決めピン１４１が、図４（ａ）に示す位置から図４（ｂ）に示す位置までを移動する範囲である。
【００３１】
なお、ノーマルモードにおける指標表示の範囲は、図４（ａ）および図４（ｂ）に示すように、「ＡＦ・０．３〜∞」となる。
また、マクロモード時のフォーカスリング１２２の回転可能範囲は、図４（ｃ）および図４（ｄ）に示すように、マクロ回転孔１２２ｚの最遠側のマクロ遠端１２２ｃからマクロ近端１２２ｄまでの範囲である。換言すれば、直進枠１４０の位置決めピン１４１が、図４（ｃ）に示す位置から図４（ｄ）に示す位置までを移動する範囲である。
なお、マクロモードの指標の範囲は、図４（ｃ）および図４（ｄ）に示すように、「０．１５〜０．３５・ＡＦ−Ｍａｃｒｏ」となる。
【００３２】
［１−５．効果］
以上のように、本実施の形態のレンズ鏡筒１２０では、ノーマルモードからマクロモードへの切り替えの際に、フォーカスリング１２２を回転させるだけで、容易にフォーカスリング１２２の可動範囲（回転可能範囲）を変化させることができる。
【００３３】
（他の実施形態）
なお、本実施の形態では、フォーカスリング１２２の外周面に印刷された指標となる数値が一列に配置された構成を例として挙げて説明した。しかし、本開示はこれに限定されるものではない。
例えば、モード切替時に固定側となる部材の外周面上に、ノーマルモードに対応する数値範囲とマクロモードに対応する数値範囲とを異なる列に配置するとともに、モード切替時に移動側となる部材に、いずれかの数値範囲を示す列だけを外部に露出する窓を形成した構成を採用してもよい。
この構成により、モード切替によって窓から表示される数値範囲が各モードに対応する範囲に切り替えることができる。
【００３４】
（実施の形態２）
以下、図７（ａ）〜図１０（ｂ）を用いて、実施の形態２について説明する。
本実施の形態２のレンズ鏡筒２２０は、上記実施の形態１と同様に、フォーカスリングとマクロリングを１つのリング部材（フォーカスリング２２２）として構成し、モードの切り替えを行う点で共通している。
【００３５】
以下、詳細な構成について説明する。
［２−１．詳細構成］
図１０（ａ）は、固定枠２３０の展開図を外周側から見た図である。図１０（ｂ）は、フォーカスリング（フォーカシング操作部）２２２の展開図を外周側から見た図である。なお、内周面側に配置された構成については、破線で示している。
【００３６】
固定枠２３０は、光軸Ｘ方向に沿って形成された直進溝２３２と、外周面からラジアル方向外側に向かって突出した位置決めピン２３１と、を有している。
フォーカスリング２２２は、図９（ａ）および図９（ｂ）に示すように、固定枠２３０の外周面側に配置されている。フォーカスリング２２２は、直進枠２４０の突起２４１と係合する突起係合溝２２２ｙと、固定枠２３０の位置決めピン２３１が係合するピン移動孔２２２ｚと、を有している。
【００３７】
また、ピン移動孔２２２ｚは、フォーカスリング２２２の外周面における光軸Ｘ方向においてずれた位置に円周方向に延びる２本の溝の端部同士を、光軸Ｘの方向に沿って形成された溝によって連結させた２段形状で形成されている。ピン移動孔２２２ｚは、Ｎ近端２２２ａと、Ｎ遠端２２２ｂと、マクロ遠端２２２ｃと、マクロ近端２２２ｄと、を有している。
【００３８】
Ｎ近端２２２ａおよびＮ遠端２２２ｂは、ノーマルモードにおけるフォーカスリング２２２の回転可能範囲を規定する両端となる。
そして、マクロ遠端２２２ｃおよびマクロ近端２２２ｄは、マクロモードにおけるフォーカスリング２２２の回転可能範囲を規定する両端となる。
また、フォーカスリング２２２の外周面には、被写体距離を示す指標「０．１５  ０．２５  ０．３  ０．３５  ０．５  １  ２  ５  ∞」が印刷されている。
【００３９】
［２−２．ノーマルモードとマクロモードの切り替え動作］
本実施の形態のレンズ鏡筒２２０では、上記実施の形態１と同様に、ユーザは、フォーカスリング２２２を操作することで、ノーマルモードとマクロモードとを切り替え可能である。
具体的には、ノーマルモードからマクロモードへの切り替えは、位置決めピン２３１がＮ近端２２２ａと接触している状態（図７（ｂ））で、フォーカスリング２２２を光軸方向被写体側へユーザが押し出す操作をすることで行われる。
【００４０】
このとき、位置決めピン２３１は、Ｎ近端２２２ａと接触する位置からマクロ遠端２２２ｃと接触する位置へと移動する（図７（ｃ））。
反対に、マクロモードからノーマルモードへの切り替えは、位置決めピン２３１がマクロ遠端２２２ｃと接触している状態（図７（ｃ）参照）から、ユーザによって、フォーカスリング２２２を光軸Ｘ方向においてカメラ本体側へ引く操作をすることで行われる。
このとき、位置決めピン２３１は、マクロ遠端２２２ｃと接触する位置から、Ｎ近端２２２ａと接触する位置へと移動する（図７（ｂ）参照）。
【００４１】
［２−３．フォーカスリングの可動範囲（回転可能範囲）の調整］
（ノーマルモード時）
図７（ａ）は、ノーマルモード時における無限遠合焦時のフォーカスリング２２２のピン移動孔２２２ｚと固定枠２３０の位置決めピン２３１との位置関係を示す図である。また、図７（ｂ）は、ノーマルモード時における最近接合焦時のフォーカスリング２２２のピン移動孔２２２ｚと固定枠２３０の位置決めピン２３１との位置関係を示す図である。
【００４２】
ノーマルモードの場合、固定枠２３０の位置決めピン２３１は、フォーカスリング２２２のピン移動孔２２２ｚの被写体側の溝、つまり、Ｎ近端２２２ａからＮ遠端２２２ｂとの間において移動可能となっている。このため、フォーカスリング２２２は、位置決めピン２３１がＮ近端２２２ａと接触する位置からＮ遠端２２２ｂと接触する位置までの間において回転可能である。
【００４３】
その際、Ｎ近端２２２ａは、近接側のメカ端となり、Ｎ遠端２２２ｂは無限遠側のメカ端となる。
なお、ノーマルモードの指標の範囲は、図７（ａ）および図７（ｂ）に示すように、０．３ｍ〜∞となる。
（マクロモード時）
図７（ｃ）は、マクロモード時における最遠合焦時のフォーカスリング２２２のピン移動孔２２２ｚと固定枠２３０の位置決めピン２３１との位置関係を示す図である。また、図７（ｄ）は、マクロモード時における最近接合焦時のフォーカスリング２２２のピン移動孔２２２ｚと固定枠２３０の位置決めピン２３１との位置関係を示す図である。
【００４４】
マクロモードの場合、固定枠２３０の位置決めピン２３１は、フォーカスリング２２２のピン移動孔２２２ｚのカメラ本体側の溝、つまり、マクロ遠端２２２ｃからマクロ近端２２２ｄとの間において移動可能となっている。このため、フォーカスリング２２２は、位置決めピン２３１がマクロ遠端２２２ｃと接触する位置からマクロ近端２２２ｄと接触する位置までの間において回転可能である。
【００４５】
その際、マクロ近端２２２ｄは、近側のメカ端となり、マクロ遠端２２２ｃは遠側のメカ端となる。
なお、マクロモードの指標の範囲は、図７（ｃ）および図７（ｄ）に示すように、０．１５ｍ〜０．３ｍとなる。
また、フォーカスリング２２２の外周面に印刷された指標表示は、図７（ａ）〜図７（ｄ）に示すように、ノーマルモードにおける近端・遠端と、マクロモードにおける近端・遠端とが一直線上に配置されていてもよい。あるいは、図８（ａ）および図８（ｂ）に示すように、マクロモードとノーマルモードとに対応する近端・遠端が、別々の段に印刷されたものを用いてもよい。
【００４６】
この場合には、印刷された指標表示の１段分の幅を持つ指標窓穴２８１を有する化粧リング２８０を組み合わせて用いることで、モード切り替え時に各々のモードに対応した指標表示を指標窓穴２８１から目視することができる。
具体的には、ノーマルモードでは、図８（ａ）に示すように、上段に配置された０．３〜∞までの指標表示だけが露出するように構成される。
一方、マクロモードでは、図８（ｂ）に示すように、下段に配置された０．１５〜０．３までの指標表示だけが露出するように構成される。
【００４７】
［２−４．効果］
以上のように、本実施の形態２のレンズ鏡筒２２０では、ノーマルモードからマクロモードへの切り替えの際に、フォーカスリング２２２を光軸Ｘ方向に沿って前後に移動させる操作によって、フォーカスリング２２２の可動範囲を変化させることができる。
【００４８】
これにより、各撮影モードに応じた撮影可能な被写体距離範囲を規定することができる。
さらに、指標表示を２段配置とし、指標表示の１段分の幅を持つ指標窓穴２８１を有する化粧リング２８０を組み合わせて用いることで、撮影可能な被写体距離範囲のみを表示することができる。
よって、モード切り替えを行うレンズ鏡筒２２０であっても、各モードに対応した指標環の被写体距離表示が可能になる。
【００４９】
（その他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００５０】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５１】
また、上述の実施の形態は、本開示における技術を例示するためのものであるから、特許請求の範囲またはその均等の範囲において種々の変更、置き換え、付加、省略などを行うことができる。
【産業上の利用可能性】
【００５２】
本開示は、撮像装置に用いられるレンズ鏡筒に適用可能である。具体的には、デジタルスチルカメラ、一眼レフカメラ、ミラーレスカメラなどに本開示は適用可能である。
【符号の説明】
【００５３】
１００    撮像装置
１０１    カメラ本体
１２０    レンズ鏡筒
１２１    絞りリング
１２２    フォーカスリング（フォーカシング操作部）
１２２ａ  Ｎ遠端
１２２ｂ  Ｎ近端
１２２ｃ  マクロ遠端
１２２ｄ  マクロ近端
１２２Ｍ  ピン移動孔（規制部）
１２２ｘ  Ｎ回転孔（第１規制部）
１２２ｙ  切替カム孔（切替部）
１２２ｚ  マクロ回転孔（第２規制部）
１３０    固定枠
１４０    直進枠
１４１    位置決めピン（凸部）
１５０    ベース枠
１６０    ３群保持枠
１７０    フォーカスレンズ枠
１７１    ガイド軸
１８０    化粧リング
２２０    レンズ鏡筒
２２２    フォーカスリング（フォーカシング操作部）
２２２ａ  Ｎ近端
２２２ｂ  Ｎ遠端
２２２ｃ  マクロ遠端
２２２ｄ  マクロ近端
２２２ｙ  突起係合溝
２２２ｚ  ピン移動孔
２３０    固定枠
２３１    位置決めピン
２３２    直進溝
２４０    直進枠
２４１    突起
２８０    化粧リング
２８１    指標窓穴
Ｌ１      第１レンズ群（撮像光学系）
Ｌ２      フォーカスレンズ群（撮像光学系）
Ｌ３      第３レンズ群（撮像光学系）
Ｌ４      第４レンズ群（撮像光学系）
Ｘ        光軸
【図１】
2015045230.tif 000003
【図２】
2015045230.tif 000004
【図３】
2015045230.tif 000005
【図４】
2015045230.tif 000006
【図５】
2015045230.tif 000007
【図６】
2015045230.tif 000008
【図７】
2015045230.tif 000009
【図８】
2015045230.tif 000010
【図９】
2015045230.tif 000011
【図１０】
2015045230.tif 000012
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
複数のレンズを含む撮像光学系と、
前記撮像光学系の光軸を中心とする回転操作によって、前記撮像光学系の焦点位置を変化させて第１の撮影領域と少なくとも一部が異なる第２の撮影領域まで距離を設定可能とするとともに、前記撮像光学系の少なくとも一部のレンズを移動させることで第１撮影状態と第２撮影状態とを切り替える円筒状のフォーカシング操作部と、
前記フォーカシング操作部を回転可能な状態で支持する固定枠と、
前記第１撮影状態と前記第２撮影状態とにおける前記フォーカシング操作部の回転可能範囲を規制する規制部と、
を備え、
前記第１撮影状態から前記第２撮影状態へと移行させる前記フォーカシング操作部の回転操作に連動して、前記規制部によって規制される前記フォーカシング操作部の回転可能範囲が、前記第１撮影状態に対応する第１の回転可能範囲から、前記第２撮影状態に対応し前記第１の回転可能範囲とは周方向における位置がずれている第２の回転可能範囲に切り替えられる、
レンズ鏡筒。
【請求項２】
前記規制部は、前記第１の回転可能範囲を規定する第１規制部と、前記第２の回転可能範囲を規定する第２規制部と、前記第１規制部と前記第２規制部とが互いに近接する端部同士を接続し前記第１撮影状態と前記第２撮影状態とを切り替える切替部と、を有している、
請求項１に記載のレンズ鏡筒。
【請求項３】
前記第１・第２規制部は、前記フォーカシング操作部の周方向に沿って形成されており、
前記切替部は、前記フォーカシング操作部の周方向に対して斜めに形成されている、
請求項２に記載のレンズ鏡筒。
【請求項４】
前記撮像光学系に含まれる少なくとも一部のレンズを保持しており、前記撮像光学系の光軸方向に沿って前記固定枠に対して前後に移動可能であって、外周面からラジアル方向外側に向かって突出した凸部を有する直進枠を、さらに備え、
前記フォーカシング操作部を回転操作すると、前記直進枠の前記凸部が前記規制部に嵌合した状態で周方向に沿って移動する、
請求項１から３のいずれか１項に記載のレンズ鏡筒。
【請求項５】
前記規制部は、前記フォーカシング操作部の一部に形成された溝あるいは孔である、
請求項１から４のいずれかに記載のレンズ鏡筒。
【請求項６】
前記第２の撮影領域は、前記第１の撮影領域の至近距離位置を超える、マクロ撮影領域である、
請求項１から５のいずれか１項に記載のレンズ鏡筒。
【請求項７】
請求項１から６のいずれか１項に記載のレンズ鏡筒と、
前記レンズ鏡筒が装着されるカメラ本体と、
を備える撮像装置。
【手続補正２】
【補正対象書類名】明細書
【補正対象項目名】全文
【補正方法】変更
【補正の内容】
【発明の詳細な説明】
【技術分野】
【０００１】
本開示は、レンズ鏡筒に関する。
【背景技術】
【０００２】
特許文献１は、ズームリングに設けられるロック部材でフォーカスリングの移動許容範囲を調整するレンズ鏡筒を開示する。
【先行技術文献】
【特許文献】
【０００３】
【特許文献１】特開昭５７−６６４２５号公報
【発明の概要】
【０００４】
本開示は、ノーマル撮影とマクロ撮影の切り替えが可能なレンズ鏡筒であって、フォーカスリングのメモリ表示を可能にし、フォーカスリングの移動許容範囲をメカ端により調整可能なレンズ鏡筒を提供する。
本開示に係るレンズ鏡筒は、複数のレンズを含む撮像光学系と、円筒状のフォーカシング操作部と、固定枠と、規制部と、を備えている。円筒状のフォーカシング操作部は、撮像光学系の光軸を中心とする回転操作によって、撮像光学系の焦点位置を変化させて第１の撮影領域と少なくとも一部が異なる第２の撮影領域まで距離を設定可能とするとともに、撮像光学系の少なくとも一部のレンズを移動させることで、第１撮影状態と第２撮影状態とを切り替える。固定枠は、フォーカシング操作部を回転可能な状態で支持する。規制部は、第１撮影状態と第２撮影状態とにおけるフォーカシング操作部の回転可能範囲を規制する。そして、第１撮影状態から第２撮影状態へと移行させるフォーカシング操作部の回転操作に連動して、規制部によって規制されるフォーカシング操作部の回転可能範囲が、第１撮影状態に対応する第１の回転可能範囲から、第２撮影状態に対応し第１の回転可能範囲とは周方向における位置がずれている第２の回転可能範囲に切り替えられる。
（発明の効果）
本開示におけるレンズ鏡筒は、第１撮影状態と第２撮影状態との切り替えが可能であり、かつ、フォーカスリングのメモリ表示を可能にし、フォーカスリングの移動許容範囲をメカ端により調整可能である。
【図面の簡単な説明】
【０００５】
【図１】本開示の撮像装置の全体斜視図。
【図２】実施の形態１におけるノーマル撮影時のレンズ鏡筒の概略断面図。
【図３】実施の形態１におけるマクロ撮影時のレンズ鏡筒の概略断面図。
【図４】（ａ）は、実施の形態１のノーマル撮影時における遠距離に被写体がある時のフォーカス指標を示す図。（ｂ）は、実施の形態１のノーマル撮影時におけるＡＦ選択時のフォーカス指標を示す図。（ｃ）は、実施の形態１のマクロ撮影時におけるＡＦ選択時のフォーカス指標を示す図。（ｄ）は、実施の形態１のマクロ撮影時における近距離に被写体がある時のフォーカス指標を示す図。
【図５】（ａ）は、実施の形態１における直進枠の概略展開図。（ｂ）は、実施の形態１における、直進枠のメリディオナル面での断面図の一部を示す図。
【図６】実施の形態１におけるフォーカスリングの展開図。
【図７】（ａ）は、実施の形態２のノーマル撮影時における遠距離に被写体がある時のフォーカス指標を示す図。（ｂ）は、実施の形態２のノーマル撮影時における近距離に被写体がある時のフォーカス指標を示す図。（ｃ）は、実施の形態２のマクロ撮影時における遠距離に被写体がある時のフォーカス指標を示す図。（ｄ）は、実施の形態２のマクロ撮影時における近距離に被写体がある時のフォーカス指標を示す図。
【図８】（ａ）は、実施の形態２のノーマル撮影時におけるフォーカス指標を示す図。（ｂ）は、実施の形態２のマクロ撮影時におけるフォーカス指標を示す図。
【図９】（ａ）は、実施の形態２におけるノーマル撮影時のレンズ鏡筒の概略断面図。（ｂ）は、実施の形態２におけるマクロ撮影時のレンズ鏡筒の概略断面図。
【図１０】（ａ）は、実施の形態２における固定枠の展開図。（ｂ）は、実施の形態２におけるフォーカスリングの展開図。
【発明を実施するための形態】
【０００６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【０００７】
（実施の形態１）
以下、図１〜図６を用いて、実施の形態１を説明する。
［１−１．デジタルカメラの全体構成（図１〜図３参照）］
図１は、本実施形態の撮像装置１００を示す概略斜視図である。図２は、レンズ鏡筒１２０のノーマルモード（第１撮影状態）時を示す断面図である。図３は、レンズ鏡筒１２０のマクロモード（第２撮影状態）時を示す断面図である。
【０００８】
撮像装置１００は、カメラ本体１０１と、カメラ本体１０１に装着されるレンズ鏡筒１２０と、を有する。なお、レンズ鏡筒１２０は、撮像装置１００に一体で設けられてもよいし、着脱可能に設けられてもよい。
また、本実施の形態のレンズ鏡筒１２０は、フォーカスリング（フォーカシング操作部）１２２の回転操作によって、通常撮影モードとマクロ撮影モードとを切り替えるとともに、フォーカス操作も実施可能である。
【０００９】
レンズ鏡筒１２０は、第１レンズ群Ｌ１と、フォーカスレンズ群Ｌ２と、第３レンズ群Ｌ３と、第４レンズ群Ｌ４と、絞りリング１２１と、フォーカスリング１２２と、固定枠１３０と、直進枠１４０と、ベース枠１５０と、３群保持枠１６０と、フォーカスレンズ枠１７０と、ガイド軸１７１と、化粧リング１８０と、を備えている。
レンズ鏡筒１２０は、ベース枠１５０に対して各部材が取り付けられて構成されている。
【００１０】
ベース枠１５０は、カメラ本体１０１との装着側の端部において、第４レンズ群Ｌ４を保持する。ベース枠１５０は、被写体側の端部に、固定枠１３０がビス留めされる。
ここで、円筒状の固定枠１３０の内周側に設けられる各部材の説明を行う。
固定枠１３０の内周側には、直進枠１４０が光軸Ｘ方向に移動可能な状態で取り付けられる。
【００１１】
直進枠１４０は、円筒状の部材であって、外周面上にラジアル方向外側に向かって突出する位置決めピン（凸部）１４１を有している。
位置決めピン１４１は、フォーカスリング１２２に形成されたピン移動孔１２２Ｍに係合されている。
これにより、フォーカスリング１２２の回転操作によって、直進枠１４０が光軸Ｘ方向において前後に移動する。これらの機構の詳細な説明は後述する。
【００１２】
直進枠１４０は、図１、図２に示すように、被写体側の端部に第１レンズ群Ｌ１を保持している。また、直進枠１４０の内周面側には、３群保持枠１６０が固定されている。
３群保持枠１６０は、第３レンズ群Ｌ３を保持している。
直進枠１４０の内周面側には、光軸Ｘに平行に配置されたガイド軸１７１が設けられている。直進枠１４０の内周面側に設けられたガイド軸１７１には、フォーカスレンズ枠１７０が光軸Ｘ方向において移動可能な状態で取り付けられている。
【００１３】
フォーカスレンズ枠１７０は、フォーカスレンズ群Ｌ２を保持している。フォーカスレンズ枠１７０は、直進枠１４０に光軸Ｘと平行に保持されたガイド軸１７１と嵌合し、動力源（図示せず）によって光軸Ｘ方向において駆動される。
次に、固定枠１３０の外周側に設けられる各部材について説明する。
固定枠１３０の外周側には、それぞれ円環状の部材であって光軸Ｘを中心に回転操作される、絞りリング１２１と、フォーカスリング１２２と、化粧リング１８０と、が設けられている。
【００１４】
絞りリング１２１およびフォーカスリング１２２は、ユーザによって回転操作されることで、固定枠１３０に対して、光軸Ｘを中心とする円周方向において回転する。
なお、絞りリング１２１およびフォーカスリング１２２は、各々回転可能範囲が制限されている。これらの部材の回転可能範囲については、後述する。
以上のように構成された撮像装置１００について、その動作について以下で説明する。
【００１５】
撮像装置１００は、ノーマルモードとマクロモードとの切り替え時において、撮影可能な被写体距離範囲を変化させるように構成されている（例：マクロモードは０．１５ｍ〜０．３５ｍ、ノーマルモードは０．３ｍ〜∞）。
そのため撮像装置１００は、ノーマルモードとマクロモードの切り替えに応じて、フォーカスリング１２２の可動範囲（回転可能範囲）を調整する。このため、フォーカスリング１２２の可動範囲が変更されるので、撮影可能な被写体距離に合うレンズ鏡筒１２０に記された被写体距離目盛の範囲で、フォーカスリング１２２が移動可能となる。
【００１６】
以下、その機構の詳細について説明する。
［１−２．詳細構成］
以下、図４（ａ）〜図６を用いて、本実施の形態に係るレンズ鏡筒１２０の詳細な構成について説明する。
なお、本実施の形態のレンズ鏡筒１２０では、光軸Ｘを中心とする円環状のフォーカスリング（フォーカシング操作部）１２２の回転方向への操作によってモード切り替えを行う。
【００１７】
図５（ａ）は、直進枠１４０の展開図を外周側から見た図である。図５（ｂ）は、図５（ａ）のＸ−Ｘ断面であって、直進枠１４０のメリディオナル面（Meridional Surface）で切断した断面図の一部である。なお、メリディオナル面とは、レンズの軸外物点と光軸とを含む面を意味している。
図６は、直進枠１４０の外周側に配置されたフォーカスリング１２２の展開図を外周側から見た図である。なお、フォーカスリング１２２の内周面側に配置された構成については、破線で示している。
【００１８】
直進枠１４０は、図５（ａ）、図５（ｂ）に示すように、直進枠１４０の外周面からラジアル方向外側に向かって突出するように形成された位置決めピン１４１を有している。
位置決めピン１４１は、図４（ａ）〜図４（ｄ）および図６に示すように、フォーカスリング１２２に形成された貫通穴（ピン移動孔１２２Ｍ）に係合した状態で移動する。このとき、位置決めピン１４１の位置によって、フォーカスリング１２２の外周面に印刷された被写体距離を指し示す。
【００１９】
ピン移動孔（規制部）１２２Ｍは、位置決めピン１４１が挿入されて移動するとともに、図６に示すように、Ｎ（ノーマル）回転孔１２２ｘと、切替カム孔１２２ｙと、マクロ回転孔１２２ｚと、を有している。
なお、本実施の形態では、ピン移動孔１２２Ｍは、フォーカスリング１２２の内周側から外周側へ貫通する孔として形成されているが、フォーカスリング１２２の内周側に形成された溝であってもよい。
【００２０】
Ｎ回転孔（第１規制部）１２２ｘは、図６に示すように、光軸Ｘを中心とする円周方向に沿って所定の範囲に形成されており、ノーマルモードにおける被写体距離の範囲（第１の回転可能範囲）を規定する。
マクロ回転孔（第２規制部）１２２ｚは、図６に示すように、光軸Ｘを中心とする円周方向において、Ｎ回転孔１２２ｘとは異なる所定の範囲に形成されている。
【００２１】
具体的には、マクロ回転孔１２２ｚは、光軸Ｘ方向において、Ｎ回転孔１２２ｘよりも被写体側に形成されている。そして、マクロ回転孔１２２ｚは、マクロモードにおける被写体距離の範囲（第２の回転可能範囲）を規定する。
切替カム孔（切替部）１２２ｙは、図６に示すように、フォーカスリング１２２の外周面において円周方向に対して斜めに形成されており、Ｎ回転孔１２２ｘの近端側の端部と、マクロ回転孔１２２ｚの遠端側の端部とを接続する。
【００２２】
すなわち、ピン移動孔１２２Ｍは、図６に示すように、主に、３つの領域によって構成される。
３つの領域とは、ノーマルモード時に位置決めピン１４１が移動するＮ回転孔１２２ｘ、マクロモード時に位置決めピン１４１が移動するマクロ回転孔１２２ｚ、Ｎ回転孔１２２ｘとマクロ回転孔１２２ｚとの間を連結する切替カム孔１２２ｙ、である。
【００２３】
切替カム孔１２２ｙの最遠側（図面中右側）の端部は、Ｎ回転孔１２２ｘの近接側のＮ（ノーマル）近端１２２ｂと接続されている。また、切替カム孔１２２ｙの近接側（図面中左側）の端部は、マクロ回転孔１２２ｚの最遠側のマクロ遠端１２２ｃと接続されている。
なお、切替カム孔１２２ｙの両端には、クリック感（節度感）を出すために、段差（図示せず）を設けてもよい。この場合には、位置決めピン１４１を所定の方向に付勢するバネ等の付勢手段（図示せず）を設け、段差の位置において付勢手段がピンを付勢して、クリック感を出すようにすればよい。
【００２４】
ここで、直進枠１４０の位置決めピン１４１は、Ｎ回転孔１２２ｘと切替カム孔１２２ｙとマクロ回転孔１２２ｚとに挿入された状態で移動する。
また、フォーカスリング１２２の外周面には、フォーカス状態を示す指標「０．１５  ０．２５  ０．３５・ＡＦ−Ｍａｃｒｏ・ＡＦ・０．３  ０．５  １  ２  ５  ∞」が印刷されている。
【００２５】
［１−３．ノーマルモードとマクロモードの切り替え動作］
次に、図４（ａ）から図４（ｄ）を用いて、ノーマルモードとマクロモードの切り替え動作について説明する。
図４（ａ）、図４（ｂ）は、ノーマルモードにおけるフォーカスリング１２２のフォーカス状態を示す図である。図４（ｃ）および図４（ｄ）は、マクロモードにおけるフォーカスリング１２２のフォーカス状態を示す図である。
【００２６】
本実施の形態のレンズ鏡筒では、ユーザは、フォーカスリング１２２を回転操作することで、ノーマルモードとマクロモードとの切り替えを行う。
具体的には、ノーマルモードからマクロモードへの切り替えは、直進枠１４０に設けられた位置決めピン１４１が、フォーカスリング１２２の切替カム孔１２２ｙに係合している状態で、フォーカスリング１２２を回転操作することで行われる。
【００２７】
このとき、切替カム孔１２２ｙが、円周方向に対して斜めに形成されていることから、フォーカスリング１２２を回転させる操作によって、位置決めピン１４１が光軸Ｘ方向において前後に移動する。
つまり、位置決めピン１４１が切替カム孔１２２ｙ内（Ｎ近端１２２ｂとマクロ遠端１２２ｃとの間）を移動することにより、位置決めピン１４１と一体的に構成されている直進枠１４０が光軸Ｘ方向に移動する（図４（ｂ）、図４（ｃ）参照）。
【００２８】
ここで、直進枠１４０が光軸Ｘ方向において前（被写体側）方向に移動すると、図３に示すマクロモードへ移行する。マクロモードでは、図２に示すノーマルモードと比較して、第１レンズ群Ｌ１、フォーカスレンズ群Ｌ２、および第３レンズ群Ｌ３が前方へ移動し、第４レンズ群Ｌ４に対する距離が大きくなる。
これにより、光軸Ｘ方向において、フォーカスリング１２２に対して直進枠１４０を前後に移動させることで、図２に示すノーマルモードから図３に示すマクロモードへと切り替えることができる。
【００２９】
［１−４．フォーカスリングの可動範囲（回転可能範囲）の調整］
ノーマルモード時のフォーカスリング１２２の可動範囲は、図４（ａ）および図４（ｂ）に示すように、Ｎ回転孔１２２ｘのＮ（ノーマル）遠端１２２ａからＮ近端１２２ｂの最遠側に端部までの範囲である。換言すれば、直進枠１４０の位置決めピン１４１が、図４（ａ）に示す位置から図４（ｂ）に示す位置までを移動する範囲である。
【００３０】
なお、ノーマルモードにおける指標表示の範囲は、図４（ａ）および図４（ｂ）に示すように、「ＡＦ・０．３〜∞」となる。
また、マクロモード時のフォーカスリング１２２の回転可能範囲は、図４（ｃ）および図４（ｄ）に示すように、マクロ回転孔１２２ｚの最遠側のマクロ遠端１２２ｃからマクロ近端１２２ｄまでの範囲である。換言すれば、直進枠１４０の位置決めピン１４１が、図４（ｃ）に示す位置から図４（ｄ）に示す位置までを移動する範囲である。
【００３１】
なお、マクロモードの指標の範囲は、図４（ｃ）および図４（ｄ）に示すように、「０．１５〜０．３５・ＡＦ−Ｍａｃｒｏ」となる。
［１−５．効果］
以上のように、本実施の形態のレンズ鏡筒１２０では、ノーマルモードからマクロモードへの切り替えの際に、フォーカスリング１２２を回転させるだけで、容易にフォーカスリング１２２の可動範囲（回転可能範囲）を変化させることができる。
【００３２】
（他の実施形態）
なお、本実施の形態では、フォーカスリング１２２の外周面に印刷された指標となる数値が一列に配置された構成を例として挙げて説明した。しかし、本開示はこれに限定されるものではない。
例えば、モード切替時に固定側となる部材の外周面上に、ノーマルモードに対応する数値範囲とマクロモードに対応する数値範囲とを異なる列に配置するとともに、モード切替時に移動側となる部材に、いずれかの数値範囲を示す列だけを外部に露出する窓を形成した構成を採用してもよい。
【００３３】
この構成により、モード切替によって窓から表示される数値範囲が各モードに対応する範囲に切り替えることができる。
（実施の形態２）
以下、図７（ａ）〜図１０（ｂ）を用いて、実施の形態２について説明する。
本実施の形態２のレンズ鏡筒２２０は、上記実施の形態１と同様に、フォーカスリングとマクロリングを１つのリング部材（フォーカスリング２２２）として構成し、モードの切り替えを行う点で共通している。
【００３４】
以下、詳細な構成について説明する。
［２−１．詳細構成］
図１０（ａ）は、固定枠２３０の展開図を外周側から見た図である。図１０（ｂ）は、フォーカスリング（フォーカシング操作部）２２２の展開図を外周側から見た図である。なお、内周面側に配置された構成については、破線で示している。
【００３５】
固定枠２３０は、光軸Ｘ方向に沿って形成された直進溝２３２と、外周面からラジアル方向外側に向かって突出した位置決めピン２３１と、を有している。
フォーカスリング２２２は、図９（ａ）および図９（ｂ）に示すように、固定枠２３０の外周面側に配置されている。フォーカスリング２２２は、直進枠２４０の突起２４１と係合する突起係合溝２２２ｙと、固定枠２３０の位置決めピン２３１が係合するピン移動孔２２２ｚと、を有している。
【００３６】
また、ピン移動孔２２２ｚは、フォーカスリング２２２の外周面における光軸Ｘ方向においてずれた位置に円周方向に延びる２本の溝の端部同士を、光軸Ｘの方向に沿って形成された溝によって連結させた２段形状で形成されている。ピン移動孔２２２ｚは、Ｎ近端２２２ａと、Ｎ遠端２２２ｂと、マクロ遠端２２２ｃと、マクロ近端２２２ｄと、を有している。
【００３７】
Ｎ近端２２２ａおよびＮ遠端２２２ｂは、ノーマルモードにおけるフォーカスリング２２２の回転可能範囲を規定する両端となる。
そして、マクロ遠端２２２ｃおよびマクロ近端２２２ｄは、マクロモードにおけるフォーカスリング２２２の回転可能範囲を規定する両端となる。
また、フォーカスリング２２２の外周面には、被写体距離を示す指標「０．１５  ０．２５  ０．３  ０．３５  ０．５  １  ２  ５  ∞」が印刷されている。
【００３８】
［２−２．ノーマルモードとマクロモードの切り替え動作］
本実施の形態のレンズ鏡筒２２０では、上記実施の形態１と同様に、ユーザは、フォーカスリング２２２を操作することで、ノーマルモードとマクロモードとを切り替え可能である。
具体的には、ノーマルモードからマクロモードへの切り替えは、位置決めピン２３１がＮ近端２２２ａと接触している状態（図７（ｂ））で、フォーカスリング２２２を光軸方向被写体側へユーザが押し出す操作をすることで行われる。
【００３９】
このとき、位置決めピン２３１は、Ｎ近端２２２ａと接触する位置からマクロ遠端２２２ｃと接触する位置へと移動する（図７（ｃ））。
反対に、マクロモードからノーマルモードへの切り替えは、位置決めピン２３１がマクロ遠端２２２ｃと接触している状態（図７（ｃ）参照）から、ユーザによって、フォーカスリング２２２を光軸Ｘ方向においてカメラ本体側へ引く操作をすることで行われる。
【００４０】
このとき、位置決めピン２３１は、マクロ遠端２２２ｃと接触する位置から、Ｎ近端２２２ａと接触する位置へと移動する（図７（ｂ）参照）。
［２−３．フォーカスリングの可動範囲（回転可能範囲）の調整］
（ノーマルモード時）
図７（ａ）は、ノーマルモード時における無限遠合焦時のフォーカスリング２２２のピン移動孔２２２ｚと固定枠２３０の位置決めピン２３１との位置関係を示す図である。また、図７（ｂ）は、ノーマルモード時における最近接合焦時のフォーカスリング２２２のピン移動孔２２２ｚと固定枠２３０の位置決めピン２３１との位置関係を示す図である。
【００４１】
ノーマルモードの場合、固定枠２３０の位置決めピン２３１は、フォーカスリング２２２のピン移動孔２２２ｚの被写体側の溝、つまり、Ｎ近端２２２ａからＮ遠端２２２ｂとの間において移動可能となっている。このため、フォーカスリング２２２は、位置決めピン２３１がＮ近端２２２ａと接触する位置からＮ遠端２２２ｂと接触する位置までの間において回転可能である。
【００４２】
その際、Ｎ近端２２２ａは、近接側のメカ端となり、Ｎ遠端２２２ｂは無限遠側のメカ端となる。
なお、ノーマルモードの指標の範囲は、図７（ａ）および図７（ｂ）に示すように、０．３ｍ〜∞となる。
（マクロモード時）
図７（ｃ）は、マクロモード時における最遠合焦時のフォーカスリング２２２のピン移動孔２２２ｚと固定枠２３０の位置決めピン２３１との位置関係を示す図である。また、図７（ｄ）は、マクロモード時における最近接合焦時のフォーカスリング２２２のピン移動孔２２２ｚと固定枠２３０の位置決めピン２３１との位置関係を示す図である。
【００４３】
マクロモードの場合、固定枠２３０の位置決めピン２３１は、フォーカスリング２２２のピン移動孔２２２ｚのカメラ本体側の溝、つまり、マクロ遠端２２２ｃからマクロ近端２２２ｄとの間において移動可能となっている。このため、フォーカスリング２２２は、位置決めピン２３１がマクロ遠端２２２ｃと接触する位置からマクロ近端２２２ｄと接触する位置までの間において回転可能である。
【００４４】
その際、マクロ近端２２２ｄは、近側のメカ端となり、マクロ遠端２２２ｃは遠側のメカ端となる。
なお、マクロモードの指標の範囲は、図７（ｃ）および図７（ｄ）に示すように、０．１５ｍ〜０．３ｍとなる。
また、フォーカスリング２２２の外周面に印刷された指標表示は、図７（ａ）〜図７（ｄ）に示すように、ノーマルモードにおける近端・遠端と、マクロモードにおける近端・遠端とが一直線上に配置されていてもよい。あるいは、図８（ａ）および図８（ｂ）に示すように、マクロモードとノーマルモードとに対応する近端・遠端が、別々の段に印刷されたものを用いてもよい。
【００４５】
この場合には、印刷された指標表示の１段分の幅を持つ指標窓穴２８１を有する化粧リング２８０を組み合わせて用いることで、モード切り替え時に各々のモードに対応した指標表示を指標窓穴２８１から目視することができる。
具体的には、ノーマルモードでは、図８（ａ）に示すように、上段に配置された０．３〜∞までの指標表示だけが露出するように構成される。
【００４６】
一方、マクロモードでは、図８（ｂ）に示すように、下段に配置された０．１５〜０．３までの指標表示だけが露出するように構成される。
［２−４．効果］
以上のように、本実施の形態２のレンズ鏡筒２２０では、ノーマルモードからマクロモードへの切り替えの際に、フォーカスリング２２２を光軸Ｘ方向に沿って前後に移動させる操作によって、フォーカスリング２２２の可動範囲を変化させることができる。
【００４７】
これにより、各撮影モードに応じた撮影可能な被写体距離範囲を規定することができる。
さらに、指標表示を２段配置とし、指標表示の１段分の幅を持つ指標窓穴２８１を有する化粧リング２８０を組み合わせて用いることで、撮影可能な被写体距離範囲のみを表示することができる。
【００４８】
よって、モード切り替えを行うレンズ鏡筒２２０であっても、各モードに対応した指標環の被写体距離表示が可能になる。
（その他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００４９】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５０】
また、上述の実施の形態は、本開示における技術を例示するためのものであるから、特許請求の範囲またはその均等の範囲において種々の変更、置き換え、付加、省略などを行うことができる。
【産業上の利用可能性】
【００５１】
本開示は、撮像装置に用いられるレンズ鏡筒に適用可能である。具体的には、デジタルスチルカメラ、一眼レフカメラ、ミラーレスカメラなどに本開示は適用可能である。
【符号の説明】
【００５２】
１００    撮像装置
１０１    カメラ本体
１２０    レンズ鏡筒
１２１    絞りリング
１２２    フォーカスリング（フォーカシング操作部）
１２２ａ  Ｎ遠端
１２２ｂ  Ｎ近端
１２２ｃ  マクロ遠端
１２２ｄ  マクロ近端
１２２Ｍ  ピン移動孔（規制部）
１２２ｘ  Ｎ回転孔（第１規制部）
１２２ｙ  切替カム孔（切替部）
１２２ｚ  マクロ回転孔（第２規制部）
１３０    固定枠
１４０    直進枠
１４１    位置決めピン（凸部）
１５０    ベース枠
１６０    ３群保持枠
１７０    フォーカスレンズ枠
１７１    ガイド軸
１８０    化粧リング
２２０    レンズ鏡筒
２２２    フォーカスリング（フォーカシング操作部）
２２２ａ  Ｎ近端
２２２ｂ  Ｎ遠端
２２２ｃ  マクロ遠端
２２２ｄ  マクロ近端
２２２ｙ  突起係合溝
２２２ｚ  ピン移動孔
２３０    固定枠
２３１    位置決めピン
２３２    直進溝
２４０    直進枠
２４１    突起
２８０    化粧リング
２８１    指標窓穴
Ｌ１      第１レンズ群（撮像光学系）
Ｌ２      フォーカスレンズ群（撮像光学系）
Ｌ３      第３レンズ群（撮像光学系）
Ｌ４      第４レンズ群（撮像光学系）
Ｘ        光軸
【国際調査報告】
2015045230.tif 000013
2015045230.tif 000014
2015045230.tif 000015
2015045230.tif 000016